(57)【要約】【課題】従来、ハイパーテキスト画面の表示内容をリアルタイムに更新する為には、ブラウザが頻繁にハイパーテキストの再読み込みを行う必要があり、その際の通信量の削減と表示内容を更新する際の処理時間の短縮が課題であった。【解決手段】ＷＷＷサーバ１０のハイパーテキスト生成手段２は、前記拡張ハイパーテキストからリアルタイムデータ指定を特定し、リアルタイムデータ管理テーブル６に登録するリアルタイムデータ指定特定手段４と、外部のリアルタイムデータ供給手段からリアルタイムデータを取得するリアルタイムデータ管理手段３と、前記リアルタイムデータ管理手段からの指示に従って前記リアルタイム管理テーブルを参照しながらハイパーテキストを出力するハイパーテキスト出力手段５とを有する。【効果】リアルタイムに変更されるデータが含まれる場合、効率的にハイパーテキスト画面の表示内容を更新することができる。【選択図】　　　　図１
2004078844.tif 000002
【特許請求の範囲】
【請求項１】
実時間システムにおけるデータを表すリアルタイムデータ指定を、ハイパーテキスト中の任意の場所に記述することができる拡張ハイパーテキストを処理してハイパーテキストを提供するＷＷＷサーバと、
前記ハイパーテキストを閲覧するブラウザを提供するＷＷＷクライアントとを備え、
前記ＷＷＷサーバは、前記拡張ハイパーテキストを読み込んで前記ハイパーテキストを出力するハイパーテキスト生成手段を含み、
前記ハイパーテキスト生成手段は、
リアルタイムデータを管理するためのリアルタイムデータ管理テーブルと、
前記拡張ハイパーテキストから前記リアルタイムデータ指定を特定し、前記リアルタイムデータ管理テーブルに登録するリアルタイムデータ指定特定手段と、前記リアルタイムデータ指定からリアルタイムデータの取得先を特定し、外部のリアルタイムデータ供給手段からリアルタイムデータを取得するリアルタイムデータ管理手段と、
前記リアルタイムデータ管理手段からの指示に従って前記リアルタイム管理テーブルを参照しながらハイパーテキストを出力するハイパーテキスト出力手段とを有する
ことを特徴とするハイパーテキスト表示システム。
【請求項２】
前記リアルタイムデータ管理手段は、前記リアルタイムデータ指定に更新パターンを含む場合には、前記更新パターンに応じてリアルタイムデータの再取得を行い、前記ハイパーテキスト出力手段にハイパーテキストの出力を指示する
ことを特徴とする請求項１記載のハイパーテキスト表示システム。
【請求項３】
前記リアルタイムデータ管理手段は、前記拡張ハイパーテキスト中の複数のリアルタイムデータ指定が同じリアルタイムデータ供給手段から取得できる場合には、リアルタイムデータを一括して取得する
ことを特徴とする請求項１記載のハイパーテキスト表示システム。
【請求項４】
前記ハイパーテキストは、前記ブラウザの閲覧対象となる代表ハイパーテキストと、画面向けハイパーテキストと、データ処理向けハイパーテキストから構成され、
前記代表ハイパーテキストは、前記画面向けハイパーテキストと前記データ処理向けハイパーテキストをフレームの要素とし、
前記画面向けハイパーテキストは、前記拡張ハイパーテキストの前記リアルタイムデータ指定部分にリアルタイムデータが埋め込まれた内容を含み、
前記データ処理向けハイパーテキストは、前記リアルタイムデータ指定から得られるリアルタイムデータをもとに前記画面向けハイパーテキストのリアルタイムデータ指定部分の表示内容を変更する処理を記述したスクリプトを含み、
一定時間ごとに前記データ処理向けハイパーテキストを再読み込みすることにより、前記画面向けハイパーテキスト画面のリアルタイムデータ指定の部分の表示内容を変更する
ことを特徴とする請求項１記載のハイパーテキスト表示システム。
【請求項５】
前記ハイパーテキスト出力手段は、前記リアルタイムデータ管理手段がリアルタイムデータを取得して出力を指示した際に、変更のあったリアルタイムデータのみの表示内容を変更する処理を記述したスクリプトを含む前記データ処理向けハイパーテキストを出力する
ことを特徴とする請求項４記載のハイパーテキスト表示システム。
【請求項６】
前記リアルタイムデータ指定は、リソースを特定するための識別子であるＵＲＬで表現される
ことを特徴とする請求項１記載のハイパーテキスト表示システム。
【請求項７】
前記リアルタイムデータ指定は、複数のリアルタイムデータ指定の演算処理の結果を含む
こと特徴とする請求項１記載のハイパーテキスト表示システム。
【請求項８】
前記リアルタイムデータ指定は、過去のリアルタイムデータを指定することを可能とする時刻情報を含む
こと特徴とする請求項１記載のハイパーテキスト表示システム。
【請求項９】
前記リアルタイムデータ指定は、リアルタイムデータに関連する情報を指定することを可能とする付加情報を含む
こと特徴とする請求項１記載のハイパーテキスト表示システム。
【請求項１０】
前記拡張ハイパーテキストは、図形情報を表すマークアップ言語である
ことを特徴とする請求項１記載のハイパーテキスト表示システム。
【請求項１１】
前記マークアップ言語は、ＳＶＧである
ことを特徴とする請求項１０記載のハイパーテキスト表示システム。
【請求項１２】
前記拡張ハイパーテキストは、
リアルタイムデータ指定の部分に一意の識別子を持つタグを記述したテンプレートのハイパーテキストと、
前記識別子とリアルタイムデータ指定の対応を記述したリアルタイムデータ指定定義に分離した
ことを特徴とする請求項１記載のハイパーテキスト表示システム。
【請求項１３】
前記拡張ハイパーテキストを記述することができる拡張ハイパーテキスト記述手段
をさらに備えたことを特徴とする請求項１記載のハイパーテキスト表示システム。
【発明の詳細な説明】
【０００１】
【発明の属する技術分野】
この発明は、インタネットやイントラネットを介してハイパーテキストを閲覧するハイパーテキスト表示システムに関するものである。
【０００２】
【従来の技術】
従来のハイパーテキスト表示システムについて図面を参照しながら説明する。図２９は、従来のブラウザを用いてハイパーテキストを閲覧するシステムの構成を示す図である。
【０００３】
図２９において、２００１はＷＷＷサーバ、２００２はハイパーテキスト、２００３はＷＷＷクライアント、２００４はブラウザである。
【０００４】
ユーザがＷＷＷクライアント２００３に存在するブラウザ２００４から閲覧対象のハイパーテキスト２００２のＵＲＬ（Ｕｎｉｆｏｒｍ　Ｒｅｓｏｕｒｃｅ　Ｌｏｃａｔｏｒ）を指定すると、ブラウザ２００４はＷＷＷサーバ２００１にあるハイパーテキスト２００２を読み込み、ハイパーテキスト画面を表示する。
【０００５】
このとき、ハイパーテキスト２００２中に含まれるデータが変化する場合、ブラウザ２００４におけるハイパーテキスト画面の表示内容を更新するためには、一般的にはユーザがブラウザ２００４を操作してハイパーテキスト２００２の再読み込みを行う必要がある。
【０００６】
もしくは、ハイパーテキスト２００２中の処理命令（スクリプト等）を解釈したブラウザ２００４が自動的にハイパーテキスト２００２の再読み込みを行う必要がある。
【０００７】
他の従来のハイパーテキスト表示システムについて図面を参照しながら説明する。図３０は、例えば特開平１０−２４０６０５号公報に示された他の従来のハイパーテキスト表示システムの構成を示す図である。
【０００８】
図３０において、１００１はＷＷＷサーバ、１００２はデータベース、１００３はデータベース変更手段、１００４はデータベース変更検出手段（データ変更検出手段）、１００５は表示状態チェック手段、１００６はＨＴＭＬ画面作成手段、１００７はＨＴＭＬである。
【０００９】
また、同図において、１００８はクライアント側コンピュータ（クライアント）、１００９は状態監視手段、１０１０はＵＲＬ指定手段、１０１１はブラウザである。
【００１０】
ここで、この他の従来例におけるＨＴＭＬ（Ｈｙｐｅｒ　Ｔｅｘｔ　Ｍａｒｋｕｐ　Ｌａｎｇｕａｇｅ）およびＨＴＭＬ画面は、本特許におけるハイパーテキストと同義と考える。
【００１１】
他の従来例が示す情報通信システムは、ユーザがリアルタイムに情報を得る、すなわちハイパーテキスト画面の表示内容を更新するためには、頻繁にブラウザ１０１１の再読み込みを要求する必要がある。
【００１２】
この不便で、無駄な通信を行うことにもなり、効率も悪い、という課題を解決するために、データ変更検出手段１００４によりサーバ１００１がクライアント１００８に提供するデータの変更を検出し、ＨＴＭＬ画面作成手段１００６がデータ変更検出手段１００４によりデータの変更が検出される度に、ＨＴＭＬ画面を作成し、ブラウザ１０１１に画面を更新するよう伝えることを特徴としている。
【００１３】
【発明が解決しようとする課題】
ハイパーテキスト中にリアルタイムに変更されるデータが含まれる場合、リアルタイムにブラウザにおけるハイパーテキスト画面の表示内容を更新するためには、ブラウザが頻繁にハイパーテキストの再読み込みを行う必要がある。
【００１４】
一般に対象となるハイパーテキストにはブラウザ上の表示領域が含まれているため、ブラウザが表示領域を更新する際に画面のちらつきが発生したりして、ユーザに違和感を与えることがあった。
【００１５】
また、ハイパーテキストが大量の画像データを含む場合など、データ量が大きくなると、再読み込みする際の通信量が多くなるうえ、ブラウザが画面の表示内容を更新する処理時間も長くなっていた。
【００１６】
そのため、ユーザに違和感を与えることなくブラウザ上の画面内容を更新するためには、再読み込み時の通信量の削減およびブラウザが画面の表示内容を更新する際の効率が問題であった。
【００１７】
その他に、リアルタイムに変更されるハイパーテキストを作成する手間も問題であった。
【００１８】
他の従来例では、ブラウザ１０１１が搭載されたクライアント１００８に状態監視手段１００９を設け、サーバ１００１にあるデータ変更検出手段１００４がデータの変更を検出する度にブラウザ１０１１に画面を更新するよう伝えることにより、通信頻度を減らして、効率の向上を図っている。
【００１９】
しかし、クライアント１００８側に特殊な手段を設ける必要があるため、ブラウザ１０１１が搭載されている汎用のコンピュータから簡単に利用することができないという問題点があった。
【００２０】
また、通信量の削減およびブラウザ１０１１が画面の表示内容を更新する際の効率については考慮されていないという問題点があった。
【００２１】
この発明は、前述した問題点を解決するためになされたもので、ハイパーテキスト中にリアルタイムに変更されるデータが含まれる場合、ブラウザに特殊な手段を設けることなく、効率的にハイパーテキスト画面の表示内容を更新することができるハイパーテキスト表示システムを得ることを目的とする。
【００２２】
【課題を解決するための手段】
この発明に係るハイパーテキスト表示システムは、実時間システムにおけるデータを表すリアルタイムデータ指定を、ハイパーテキスト中の任意の場所に記述することができる拡張ハイパーテキストを処理してハイパーテキストを提供するＷＷＷサーバと、前記ハイパーテキストを閲覧するブラウザを提供するＷＷＷクライアントとを備え、前記ＷＷＷサーバは、前記拡張ハイパーテキストを読み込んで前記ハイパーテキストを出力するハイパーテキスト生成手段を含み、前記ハイパーテキスト生成手段は、リアルタイムデータを管理するためのリアルタイムデータ管理テーブルと、前記拡張ハイパーテキストから前記リアルタイムデータ指定を特定し、前記リアルタイムデータ管理テーブルに登録するリアルタイムデータ指定特定手段と、前記リアルタイムデータ指定からリアルタイムデータの取得先を特定し、外部のリアルタイムデータ供給手段からリアルタイムデータを取得するリアルタイムデータ管理手段と、前記リアルタイムデータ管理手段からの指示に従って前記リアルタイム管理テーブルを参照しながらハイパーテキストを出力するハイパーテキスト出力手段とを有するものである。
【００２３】
この発明に係るハイパーテキスト表示システムは、前記リアルタイムデータ管理手段が、前記リアルタイムデータ指定に更新パターンを含む場合には、前記更新パターンに応じてリアルタイムデータの再取得を行い、前記ハイパーテキスト出力手段にハイパーテキストの出力を指示するものである。
【００２４】
この発明に係るハイパーテキスト表示システムは、前記リアルタイムデータ管理手段が、前記拡張ハイパーテキスト中の複数のリアルタイムデータ指定が同じリアルタイムデータ供給手段から取得できる場合には、リアルタイムデータを一括して取得するものである。
【００２５】
この発明に係るハイパーテキスト表示システムは、前記ハイパーテキストが、前記ブラウザの閲覧対象となる代表ハイパーテキストと、画面向けハイパーテキストと、データ処理向けハイパーテキストから構成され、前記代表ハイパーテキストは、前記画面向けハイパーテキストと前記データ処理向けハイパーテキストをフレームの要素とし、前記画面向けハイパーテキストは、前記拡張ハイパーテキストの前記リアルタイムデータ指定部分にリアルタイムデータが埋め込まれた内容を含み、前記データ処理向けハイパーテキストは、前記リアルタイムデータ指定から得られるリアルタイムデータをもとに前記画面向けハイパーテキストのリアルタイムデータ指定部分の表示内容を変更する処理を記述したスクリプトを含み、一定時間ごとに前記データ処理向けハイパーテキストを再読み込みすることにより、前記画面向けハイパーテキスト画面のリアルタイムデータ指定の部分の表示内容を変更するものである。
【００２６】
この発明に係るハイパーテキスト表示システムは、前記ハイパーテキスト出力手段が、前記リアルタイムデータ管理手段がリアルタイムデータを取得して出力を指示した際に、変更のあったリアルタイムデータのみの表示内容を変更する処理を記述したスクリプトを含む前記データ処理向けハイパーテキストを出力するものである。
【００２７】
この発明に係るハイパーテキスト表示システムは、前記リアルタイムデータ指定が、リソースを特定するための識別子であるＵＲＬで表現されるものである。
【００２８】
この発明に係るハイパーテキスト表示システムは、前記リアルタイムデータ指定が、複数のリアルタイムデータ指定の演算処理の結果を含むものである。
【００２９】
この発明に係るハイパーテキスト表示システムは、前記リアルタイムデータ指定が、過去のリアルタイムデータを指定することを可能とする時刻情報を含むものである。
【００３０】
この発明に係るハイパーテキスト表示システムは、前記リアルタイムデータ指定が、リアルタイムデータに関連する情報を指定することを可能とする付加情報を含むものである。
【００３１】
この発明に係るハイパーテキスト表示システムは、前記拡張ハイパーテキストを、図形情報を表すマークアップ言語としたものである。
【００３２】
この発明に係るハイパーテキスト表示システムは、前記マークアップ言語を、ＳＶＧとしたものである。
【００３３】
この発明に係るハイパーテキスト表示システムは、前記拡張ハイパーテキストが、リアルタイムデータ指定の部分に一意の識別子を持つタグを記述したテンプレートのハイパーテキストと、前記識別子とリアルタイムデータ指定の対応を記述したリアルタイムデータ指定定義に分離したものである。
【００３４】
この発明に係るハイパーテキスト表示システムは、前記拡張ハイパーテキストを記述することができる拡張ハイパーテキスト記述手段をさらに備えたものである。
【００３５】
【発明の実施の形態】
実施の形態１．
この発明の実施の形態１に係るハイパーテキスト表示システムについて図面を参照しながら説明する。図１は、この発明の実施の形態１に係るハイパーテキスト表示システムの構成を示す図である。なお、各図中、同一符号は同一又は相当部分を示す。
【００３６】
図１において、１はハイパーテキスト中の任意の場所にリアルタイムデータ指定を含む拡張ハイパーテキスト、２は拡張ハイパーテキスト１を読み込みハイパーテキスト７〜９を出力するハイパーテキスト生成手段、１０はハイパーテキスト７〜９を提供するＷＷＷサーバ、１２はブラウザ、１３はブラウザ１２を含むＷＷＷクライアントである。
【００３７】
また、同図において、３はリアルタイムデータ指定からリアルタイムデータの取得先を特定し、後述するリアルタイムデータ供給手段からリアルタイムデータを取得するリアルタイムデータ管理手段、４は拡張ハイパーテキスト１からリアルタイムデータ指定を特定するリアルタイムデータ指定特定手段、５はリアルタイムデータ管理手段３からの指示を受けハイパーテキストを生成して出力するハイパーテキスト出力手段、６はハイパーテキスト生成手段２の内部でリアルタイムデータを管理するために用いるリアルタイムデータ管理テーブル、１１はリアルタイムデータ供給手段である。
【００３８】
図２は、この実施の形態１に係るハイパーテキスト表示システムのリアルタイムデータ管理テーブルの構造を示す図である。
【００３９】
図２において、リアルタイムデータ管理テーブル６は、「リアルタイムデータ指定」、「取得先のリアルタイムデータ供給手段」、「更新パターン」、「リアルタイムデータの取得時刻」、「リアルタイムデータの取得状況」、「表示更新の有無」、及び「値」から構成される。
【００４０】
つぎに、この実施の形態１に係るハイパーテキスト表示システムの動作について図面を参照しながら説明する。
【００４１】
ユーザは、一般にブラウザを用いてハイパーテキストを閲覧するのと同様の操作手順で、ブラウザ１２を用いて拡張ハイパーテキスト１を閲覧する。
【００４２】
すなわち、ユーザは、ブラウザ１２を起動し、もしくはすでに起動済のブラウザ１２において、閲覧対象の代表ハイパーテキスト７のＵＲＬ（ＵｎｉｆｏｒｍＲｅｓｏｕｒｃｅ　Ｌｏｃａｔｏｒ）を指定してＷＷＷサーバ１０から代表ハイパーテキスト７を読み込む。
【００４３】
代表ハイパーテキスト７は、拡張ハイパーテキスト１のリアルタイムデータ指定の部分に、リアルタイムデータが埋め込まれた内容を含み、代表ハイパーテキスト７の表示領域のすべてを占める画面向けハイパーテキスト８と、画面向けハイパーテキスト８のリアルタイムデータ指定部分の表示内容を変更する処理を記述したスクリプトを含む、表示領域を持たないデータ処理向けハイパーテキスト９をフレームの要素としている。
【００４４】
画面向けハイパーテキスト８が代表ハイパーテキスト７の全表示領域を占めるため、ブラウザ１２のみかけ上は画面向けハイパーテキスト８の内容が表示されていることとなる。
【００４５】
データ処理向けハイパーテキスト９が自動的に再読み込みされ、スクリプトを通して画面向けハイパーテキスト８のリアルタイムデータ指定部分の表示内容が変更されることにより、ブラウザ１２の表示内容がリアルタイムデータの変更に応じて自動的に更新される。
【００４６】
このとき、表示領域を持つ代表ハイパーテキスト７および画面向けハイパーテキスト８は再読み込みしないため、画面の内容が更新される際にちらつきは発生しない。
【００４７】
まず、拡張ハイパーテキスト１を最初に読み込み、ハイパーテキスト７〜９を生成する際の初期処理について、図３に示すフローチャートに基づいて説明する。
【００４８】
ハイパーテキスト生成手段２が拡張ハイパーテキスト１を読み込む（ステップ１０１）と、リアルタイムデータ指定特定手段４が読み込んだ拡張ハイパーテキスト１の中に含まれている全てのリアルタイムデータ指定を探し出してリアルタイム管理テーブル６に登録した後（ステップ１０２）、リアルタイムデータ管理手段３にリアルタイムデータの取得を要求する（ステップ１０３）。
【００４９】
次に、リアルタイムデータ管理手段３がハイパーテキスト出力手段５にハイパーテキストの出力を要求すると、ハイパーテキスト出力手段５は、拡張ハイパーテキスト１のリアルタイムデータ指定部分にリアルタイム管理テーブル６の内容からリアルタイムデータを埋め込んだ内容を含み、一定時間後にデータ処理向けハイパーテキスト９を再読み込みを行うスクリプトを含む画面向けハイパーテキスト８と、画面向けハイパーテキスト８のリアルタイムデータ指定の表示内容を最新のリアルタイムデータに変更する処理を記述したスクリプトを含むデータ処理向けハイパーテキスト９と、画面向けハイパーテキスト８とデータ処理向けハイパーテキスト９をフレームの要素とする代表ハイパーテキスト７を出力する（ステップ１０４）。
【００５０】
その際、取得できなかったリアルタイムデータは欠測データとして扱い、指定された表示方法、もしくは未指定の場合はあらかじめ決められた欠測データの表示方法、例えば赤色斜体の文字で描画する、に従って出力する。
【００５１】
つづいて、図３のステップ１０３（リアルタイムデータの取得を要求）からステップ１０４（ハイパーテキスト生成出力）におけるリアルタイムデータ管理手段３の動作について、図４に示すフローチャートに基づいて説明する。
【００５２】
リアルタイムデータ指定特定手段４からリアルタイムデータ取得要求を受けると（図３のステップ１０３）、リアルタイムデータ管理テーブル６に登録された全てのリアルタイムデータ指定に対して順に（ステップ２０１、２０６）、どのリアルタイムデータ供給手段１１からリアルタイムデータを取得すればよいかや、更新パターンを特定し（ステップ２０２）、リアルタイムデータ供給手段１１からリアルタイムデータを取得する（ステップ２０３）。リアルタイムデータ管理テーブル６の登録数の処理が完了したら終了する（ステップ２０１からステップ２０５へ）。なお、リアルタイムデータ管理手段３は、拡張ハイパーテキスト１中の複数のリアルタイムデータ指定が同じリアルタイムデータ供給手段１１から取得できる場合には、リアルタイムデータを一括して取得してもよい。
【００５３】
すべてのリアルタイムデータが揃えばハイパーテキスト出力手段５にハイパーテキスト出力を行うよう通知する。一定時間以上経過してもリアルタイムデータが揃わない場合は（ステップ２０４）、その時点でハイパーテキスト出力手段５に対して通知を行う。この場合、取得できなかったリアルタイムデータは、欠測データとして扱う。
【００５４】
次に、初期処理以降にハイパーテキスト７〜９を更新する際における、リアルタイムデータ管理手段の処理について、図５に示すフローチャートに基づいて説明する。
【００５５】
リアルタイムデータ管理手段３は、初期処理（ステップ３０１）の後、リアルタイムデータ管理テーブル６から次にリアルタイムデータを更新すべき時刻を計算し、その時刻までスリープする（ステップ３０２）。
【００５６】
次に、更新すべき時刻に達すると、更新すべきリアルタイムデータを順に（ステップ３０３）リアルタイムデータ供給手段１１から再取得し、リアルタイム管理テーブル６の内容を更新する（ステップ３０４）。
【００５７】
次に、全てのリアルタイムデータが揃うと、ハイパーテキスト出力手段５にハイパーテキストを出力するよう通知する（ステップ３０３からステップ３０６へ）。
【００５８】
一定時間が過ぎても取得できないリアルタイムデータは欠測データとし、その時点でハイパーテキスト出力手段５に通知する（ステップ３０５）。
【００５９】
その後、次にリアルタイムデータを更新すべき時刻までスリープし（ステップ３０２）、一連の処理（ステップ３０２からステップ３０６）を繰り返す。
【００６０】
このとき、更新パターンの変更時、すなわちリアルタイムデータが変更されるごとに更新する場合は、初期処理においてリアルタイムデータを取得した際に、リアルタイムデータ供給手段１１にリアルタイムデータが変更されるごとに通知してもらうよう要求しておく。その後、リアルタイムデータ供給手段１１からの更新通知を割り込みとして同様の更新処理を行う（ステップ３０７）。
【００６１】
ハイパーテキスト出力手段５は、リアルタイムデータ管理手段３からの通知を受けると、リアルタイムデータ管理テーブル６の更新表示の有無を見て、ハイパーテキストを出力する。
【００６２】
続いて、図６に示す拡張ハイパーテキスト１を例に、実際の動作について説明する。
【００６３】
ハイパーテキスト生成手段２が図６に示す内容の拡張ハイパーテキスト１を読み込むと、リアルタイムデータ指定特定手段４が＜ＢＯＤＹ＞及び＜／ＢＯＤＹ＞で囲まれたボディ部から、２つのリアルタイムデータ指定
（１）｛ｐｒｏｔｏｃｏｌ：／／ｓｅｒｖｅｒ１／ｃｕｒｒｅｎｔ／ｄａｔａＡ｝、
（２）｛ｐｒｏｔｏｃｏｌ：／／ｓｅｒｖｅｒ２／ｃｕｒｒｅｎｔ／ｄａｔａＢ？ｕｐｄａｔｅ＝１ｍｉｎ｝
を特定し、リアルタイムデータ管理テーブル６に登録する。
【００６４】
次に、リアルタイムデータ管理手段３は、リアルタイムデータ指定（１）が「ｓｅｒｖｅｒ１」のリアルタイムデータ供給手段１１から更新パターン「データ変更時」で（更新パターンが未指定の場合は「データ変更時」とみなす）、リアルタイムデータ指定（２）が「ｓｅｒｖｅｒ２」のリアルタイムデータ供給手段１１から更新パターン「更新周期１分」であることを特定、それぞれ「ｓｅｒｖｅｒ１」、「ｓｅｒｖｅｒ２」のリアルタイムデータ供給手段１１と接続を確立し、「ｓｅｒｖｅｒ１」から（１）のリアルタイムデータ「／ｃｕｒｒｅｎｔ／ｄａｔａＡ」を、「ｓｅｒｖｅｒ２」から（２）のリアルタイムデータ「／ｃｕｒｒｅｎｔ／ｄａｔａＢ」を取得する。
【００６５】
このとき、指定（１）のリアルタイムデータ「／ｃｕｒｒｅｎｔ／ｄａｔａＡ」は、データの変更時に随時リアルタイムデータを送信してくれるよう「ｓｅｒｖｅｒ１」に依頼しておく。
【００６６】
リアルタイムデータ管理手段３は、取得できたリアルタイムデータの情報をリアルタイムデータ管理テーブル６に書き込み、指定（１）、（２）のデータが揃った時点でハイパーテキスト出力手段５に通知する。
【００６７】
このとき、指定（１）の供給先である「ｓｅｒｖｅｒ１」がダウンしていて一定時間を過ぎても「ｓｅｒｖｅｒ１」との通信が確立できない場合、リアルタイムデータ管理テーブル６の指定（１）の取得状況に「Ｎ．Ｇ」を書き込み、その時点でハイパーテキスト出力手段５に通知する。
【００６８】
このときのリアルタイム管理テーブル６の内容を図７に示す。
【００６９】
ハイパーテキスト出力手段５は、リアルタイムデータ管理手段３からの通知を受け、ハイパーテキストの出力を行う。全てのリアルタイムデータが揃った場合には、例えば指定（１）の値として「１００．０」、指定（２）の値として「５２．３」が取得された場合には、図８に示す内容を含む画面向けハイパーテキスト８がファイルｍａｉｎ．ｈｔｍｌに出力される。
【００７０】
また、図９に示す内容の代表ハイパーテキスト７をファイルｉｎｄｅｘ．ｈｔｍｌに、図１０に示す内容のデータ処理向けハイパーテキスト９をファイルｓｃｒｉｐｔ．ｈｔｍｌに出力する。
【００７１】
データ処理向けハイパーテキスト９は、図１０に示すように、何の処理も記述されていないハイパーテキストである。画面向けハイパーテキスト８の＜ＢＯＤＹ＞タグには、一定時間後、この場合では５秒後にデータ処理向けハイパーテキスト９をファイルｕｐｄａｔｅ．ｈｔｍｌに置き換える処理を行うスクリプトが記述されている。
【００７２】
ブラウザ１２が代表ハイパーテキスト７を閲覧すると、図１１に示すようなハイパーテキスト画面が表示される。
【００７３】
初期処理の後、リアルタイムデータ管理手段３は、次の更新時刻、すなわち指定（２）の次の更新時刻である１分後までスリープする。その後、更新すべきリアルタイムデータ、すなわち指定（２）について、「ｓｅｒｖｅｒ２」に再取得にいく。その結果、リアルタイムデータ管理テーブル６を更新し、ハイパーテキスト出力手段５にハイパーテキストを出力するよう通知する。
【００７４】
ハイパーテキスト出力手段５は、図１２に示す内容のデータ処理向けハイパーテキスト９をファイルｕｐｄａｔｅ．ｈｔｍｌに出力する。
【００７５】
このデータ処理向けハイパーテキスト９は、更新されたリアルタイムデータに対応する画面向けハイパーテキスト８のリアルタイムデータ指定部分の内容を書き換えるスクリプトを、ハイパーテキスト読み込み時に実行する処理を含んでいる。
【００７６】
画面向けハイパーテキスト８により、一定時間ごとにｕｐｄａｔｅ．ｈｔｍｌが再読み込みされる。その際、更新されたリアルタイムデータの値が書き換わる処理が実行されるため、ブラウザ１２の表示内容がリアルタイムデータの変更に応じて自動的に更新される。
【００７７】
以後、同様に次の更新時刻までスリープする。この間に、「ｓｅｒｖｅｒ１」から指定（１）のリアルタイムデータが更新されたという通知を受け取ると、これを割り込み処理として指定（１）のリアルタイムデータについて、リアルタイムデータ管理テーブル６を更新し、ハイパーテキスト出力手段５に通知する。
【００７８】
以上説明したように、本実施の形態１によれば、ハイパーテキスト中にリアルタイムに変更されるデータが含まれる場合、ブラウザ１２に特殊な手段を設けることなく、効率的にハイパーテキスト画面の表示内容を更新することができる。
【００７９】
実施の形態２．
この発明の実施の形態２に係るハイパーテキスト表示システムについて図面を参照しながら説明する。
【００８０】
リアルタイムデータ指定が複数のリアルタイムデータ指定の四則演算や論理演算を含めた演算処理の結果を含む場合について、図１３に示す拡張ハイパーテキスト１を読み込んだ場合を例に説明する。
【００８１】
図１３に示す拡張ハイパーテキスト１では、
（１）｛ｐｒｏｔｏｃｏｌ：／／ｓｅｒｖｅｒ２／ｃｕｒｒｅｎｔ／ｄａｔａＣ？ｕｐｄａｔｅ＝１ｍｉｎ｝、
（２）｛ｐｒｏｔｏｃｏｌ：／／ｓｅｒｖｅｒ２／ｃｕｒｒｅｎｔ／ｄａｔａＤ？ｕｐｄａｔｅ＝１ｍｉｎ｝、
（３）｛ｐｒｏｔｏｃｏｌ：／／ｓｅｒｖｅｒ２／ｃｕｒｒｅｎｔ／ｄａｔａＥ？ｕｐｄａｔｅ＝１ｍｉｎ｝
により取得される３つのリアルタイムデータ（１）、（２）、（３）の平均、すなわち３つを足して３で割った演算処理の結果を指定している。
【００８２】
リアルタイムデータ指定特定手段４は、上記のようなリアルタイムデータ指定を読み込むと、個々すなわちリアルタイムデータ指定（１）、（２）、（３）と演算ロジックを切り出し、指定（１）、（２）、（３）に加えて演算ロジックを４番目のリアルタイムデータ指定として、（４）「（（１）＋（２）＋（３））／３」」をリアルタイムデータ管理テーブル６に登録する。
【００８３】
図１４は、このときのリアルタイムデータ管理テーブル６を示す。この場合、指定（１）、（２）、（３）単独の表示更新はない。
【００８４】
リアルタイムデータ管理手段３は、上記実施の形態１と同様の手順で指定（１）、（２）、（３）のリアルタイムデータを取得／再取得すると、依存関係を鑑みて必要な演算すなわち指定（４）を行い、指定（１）、（２）、（３）に加えて指定（４）のリアルタイムデータの情報も更新する。
【００８５】
この結果に基づいて、ハイパーテキスト出力手段５は、ハイパーテキストを出力し、ブラウザ１２上には図１５に示す通りのハイパーテキスト画面が表示される。
【００８６】
実施の形態３．
この発明の実施の形態３に係るハイパーテキスト表示システムについて図面を参照しながら説明する。
【００８７】
リアルタイムデータ指定が時刻情報および付加情報を含む場合について、図１６に示す拡張ハイパーテキスト１を読み込んだ場合を例に説明する。
【００８８】
図１６に示す拡張ハイパーテキスト１では、例えば（１）｛ｐｒｏｔｏｃｏｌ：／／ｓｅｒｖｅｒ１／ｔｒｅｎｄ／ｄａｔａＡ？ａｔ＝２００１／３／２／１０：１５｝のリアルタイムデータ指定は、「２００１年３月２日１０時１５分」という時刻情報を含んでいる。
【００８９】
このリアルタイムデータ指定は、｛ｐｒｏｔｏｃｏｌ：／／ｓｅｒｖｅｒ１／ｔｒｅｎｄ／ｄａｔａＡ｝の２００１年３月２日１０時１５分の時点のリアルタイムデータを表している。リアルタイムデータ管理手段３は、上記実施の形態１と同様の手順でリアルタイムデータ供給手段１１を特定しリアルタイムデータを取得することにより、該当時刻のリアルタイムデータを取得することができる。この場合、過去の値であるため値を更新する必要はない。
【００９０】
また、（２）｛ｐｒｏｔｏｃｏｌ：／／ｓｅｒｖｅｒ２／ｔｒｅｎｄ／ｄａｔａＢ？ａｔ＝２００１／３／２／１０：００＆ｃａｌｃ＝ａｖｅｒａｇｅ｝のタイムデータ指定は、時刻情報として「２００１年３月２日１０時００分」、演算情報として「平均」という付加情報を含んでいる。
【００９１】
このリアルタイムデータ指定は、｛ｐｒｏｔｏｃｏｌ：／／ｓｅｒｖｅｒ２／ｔｒｅｎｄ／ｄａｔａＢ｝の２００１年３月２日１０時００分における平均値を表している。指定（２）に関しても指定（１）と同様に取得することができ、過去の値であるため値を更新する必要はない。これにより、ブラウザ１２上には図１７に示す通りのハイパーテキスト画面が表示される。
【００９２】
実施の形態４．
この発明の実施の形態４に係るハイパーテキスト表示システムについて図面を参照しながら説明する。
【００９３】
ＳＶＧ（Ｓｃａｌａｂｌｅ　Ｖｅｃｔｏｒ　Ｇｒａｐｈｉｃｓ）にリアルタイムデータ指定が含まれる場合について、図１８に示すＳＶＧデータを例に説明する。
【００９４】
図１８に示すＳＶＧデータには、（１）｛ｐｒｏｔｏｃｏｌ：／／ｓｅｒｖｅｒ１／ｃｕｒｒｅｎｔ／ｄａｔａＡ｝のリアルタイムデータ指定が含まれている。
【００９５】
リアルタイムデータの取得および更新は上記実施の形態１と同様の手順で行われ、図１９に示す通りのＳＶＧ、図２０に示す通りの代表ハイパーテキスト７、図２１に示す通りの画面向けハイパーテキスト８、図２２、図２３に示す通りのデータ処理向けハイパーテキスト９が出力される。また、ブラウザ１２上には図２４に示す通りのハイパーテキスト画面が表示される。
【００９６】
実施の形態５．
この発明の実施の形態５に係るハイパーテキスト表示システムについて図面を参照しながら説明する。図２５は、この発明の実施の形態５に係るハイパーテキスト表示システムの構成を示す図である。
【００９７】
図２５は、実施の形態１の拡張ハイパーテキスト１を、テンプレートのハイパーテキスト２０とリアルタイムデータ指定定義２１に分離したことを特徴としている。
【００９８】
ハイパーテキスト生成手段２が、テンプレートのハイパーテキスト２０とリアルタイムデータ指定定義２１を読み込むと、リアルタイムデータ指定特定手段４は、テンプレートのハイパーテキスト２０から一意の識別子を持つ特定のタグを探し出す。
【００９９】
次に、リアルタイムデータ指定特定手段４は、リアルタイムデータ指定定義２１からそれぞれの識別子に対応するリアルタイムデータ指定定義を探し出し、テンプレートのハイパーテキスト２０の該当するタグの部分をリアルタイムデータ指定として特定する。以降の処理は、実施の形態１と同様の手順で行われる。
【０１００】
テンプレートのハイパーテキスト２０と、リアルタイムデータ指定定義２１の例を図２６と、図２７に示す。
【０１０１】
図２６のテンプレートのハイパーテキスト２０には、変数を表すタグ＜ＶＡＲ＞のｉｄ属性に一意の識別子が設定されており、図２７のリアルタイムデータ指定定義２１には、識別子とリアルタイムデータ指定との対応が記述してある。
【０１０２】
例えば、識別子ｄａｔａ１とリアルタイムデータ指定｛ｐｒｏｔｏｃｏｌ：／／ｓｅｒｖｅｒ１／ｃｕｒｒｅｎｔ／ｄａｔａＡ｝が対応付けられている。
【０１０３】
これらのテンプレートのハイパーテキスト２０とリアルタイムデータ指定定義２１は、実施の形態１の図６の拡張ハイパーテキスト１と同じ内容をあらわしている。
【０１０４】
本実施の形態５によれば、ハイパーテキストとリアルタイムデータ指定定義を分離して作成することができるため、リアルタイムに変更されるデータを含むハイパーテキストを容易に作成することができる。
【０１０５】
実施の形態６．
この発明の実施の形態６に係るハイパーテキスト表示システムについて図面を参照しながら説明する。図２８は、この発明の実施の形態６に係るハイパーテキスト表示システムの構成を示す図である。
【０１０６】
この図２８は、実施の形態１に示すハイパーテキスト表示システムに、拡張ハイパーテキスト１を編集して出力することができる拡張ハイパーテキスト記述手段３０を備えたことを特徴としている。
【０１０７】
ユーザは、拡張ハイパーテキスト記述手段３０を用いて拡張ハイパーテキスト１を編集する際に、拡張ハイパーテキスト１中の任意の場所にリアルタイムデータ指定を埋め込むことができる。
【０１０８】
この拡張ハイパーテキスト記述手段３０は、リアルタイムデータ指定を埋め込む際に、どのリアルタイムデータ供給手段１１にあるどのリアルタイムデータをどういう更新パターンで取得するかの指定を、ダイアログ等を用いて入力支援する機能を備える。また、指定されたリアルタイムデータが存在するかを、随時確認できる機能を備える。
【０１０９】
本実施の形態６によれば、ハイパーテキスト中の任意の場所にリアルタイムデータ指定を記述することができるため、リアルタイムに変更されるデータを含むハイパーテキストを容易に作成することができる。
【０１１０】
【発明の効果】
この発明に係るハイパーテキスト表示システムは、以上説明したとおり、実時間システムにおけるデータを表すリアルタイムデータ指定を、ハイパーテキスト中の任意の場所に記述することができる拡張ハイパーテキストを処理してハイパーテキストを提供するＷＷＷサーバと、前記ハイパーテキストを閲覧するブラウザを提供するＷＷＷクライアントとを備え、前記ＷＷＷサーバは、前記拡張ハイパーテキストを読み込んで前記ハイパーテキストを出力するハイパーテキスト生成手段を含み、前記ハイパーテキスト生成手段は、リアルタイムデータを管理するためのリアルタイムデータ管理テーブルと、前記拡張ハイパーテキストから前記リアルタイムデータ指定を特定し、前記リアルタイムデータ管理テーブルに登録するリアルタイムデータ指定特定手段と、前記リアルタイムデータ指定からリアルタイムデータの取得先を特定し、外部のリアルタイムデータ供給手段からリアルタイムデータを取得するリアルタイムデータ管理手段と、前記リアルタイムデータ管理手段からの指示に従って前記リアルタイム管理テーブルを参照しながらハイパーテキストを出力するハイパーテキスト出力手段とを有するので、ハイパーテキスト中にリアルタイムに変更されるデータが含まれる場合、効率的にハイパーテキスト画面の表示内容を更新することができるという効果を奏する。
【０１１１】
この発明に係るハイパーテキスト表示システムは、以上説明したとおり、前記リアルタイムデータ管理手段が、前記リアルタイムデータ指定に更新パターンを含む場合には、前記更新パターンに応じてリアルタイムデータの再取得を行い、前記ハイパーテキスト出力手段にハイパーテキストの出力を指示するので、ハイパーテキスト中にリアルタイムに変更されるデータが含まれる場合、効率的にハイパーテキスト画面の表示内容を更新することができるという効果を奏する。
【０１１２】
この発明に係るハイパーテキスト表示システムは、以上説明したとおり、前記リアルタイムデータ管理手段が、前記拡張ハイパーテキスト中の複数のリアルタイムデータ指定が同じリアルタイムデータ供給手段から取得できる場合には、リアルタイムデータを一括して取得するので、効率的にハイパーテキスト画面の表示内容を更新することができるという効果を奏する。
【０１１３】
この発明に係るハイパーテキスト表示システムは、以上説明したとおり、前記ハイパーテキストが、前記ブラウザの閲覧対象となる代表ハイパーテキストと、画面向けハイパーテキストと、データ処理向けハイパーテキストから構成され、前記代表ハイパーテキストは、前記画面向けハイパーテキストと前記データ処理向けハイパーテキストをフレームの要素とし、前記画面向けハイパーテキストは、前記拡張ハイパーテキストの前記リアルタイムデータ指定部分にリアルタイムデータが埋め込まれた内容を含み、前記データ処理向けハイパーテキストは、前記リアルタイムデータ指定から得られるリアルタイムデータをもとに前記画面向けハイパーテキストのリアルタイムデータ指定部分の表示内容を変更する処理を記述したスクリプトを含み、一定時間ごとに前記データ処理向けハイパーテキストを再読み込みすることにより、前記画面向けハイパーテキスト画面のリアルタイムデータ指定の部分の表示内容を変更するので、効率的にハイパーテキスト画面の表示内容を更新することができるという効果を奏する。
【０１１４】
この発明に係るハイパーテキスト表示システムは、以上説明したとおり、前記ハイパーテキスト出力手段が、前記リアルタイムデータ管理手段がリアルタイムデータを取得して出力を指示した際に、変更のあったリアルタイムデータのみの表示内容を変更する処理を記述したスクリプトを含む前記データ処理向けハイパーテキストを出力するので、効率的にハイパーテキスト画面の表示内容を更新することができるという効果を奏する。
【０１１５】
この発明に係るハイパーテキスト表示システムは、以上説明したとおり、前記リアルタイムデータ指定が、リソースを特定するための識別子であるＵＲＬで表現されるので、効率的にハイパーテキスト画面の表示内容を更新することができるという効果を奏する。
【０１１６】
この発明に係るハイパーテキスト表示システムは、以上説明したとおり、前記リアルタイムデータ指定が、複数のリアルタイムデータ指定の演算処理の結果を含むので、効率的にハイパーテキスト画面の表示内容を更新することができるという効果を奏する。
【０１１７】
この発明に係るハイパーテキスト表示システムは、以上説明したとおり、前記リアルタイムデータ指定が、過去のリアルタイムデータを指定することを可能とする時刻情報を含むので、効率的にハイパーテキスト画面の表示内容を更新することができるという効果を奏する。
【０１１８】
この発明に係るハイパーテキスト表示システムは、以上説明したとおり、前記リアルタイムデータ指定が、リアルタイムデータに関連する情報を指定することを可能とする付加情報を含むので、効率的にハイパーテキスト画面の表示内容を更新することができるという効果を奏する。
【０１１９】
この発明に係るハイパーテキスト表示システムは、以上説明したとおり、前記拡張ハイパーテキストを、図形情報を表すマークアップ言語としたので、効率的にハイパーテキスト画面の表示内容を更新することができるという効果を奏する。
【０１２０】
この発明に係るハイパーテキスト表示システムは、以上説明したとおり、前記マークアップ言語を、ＳＶＧとしたので、効率的にハイパーテキスト画面の表示内容を更新することができるという効果を奏する。
【０１２１】
この発明に係るハイパーテキスト表示システムは、以上説明したとおり、前記拡張ハイパーテキストが、リアルタイムデータ指定の部分に一意の識別子を持つタグを記述したテンプレートのハイパーテキストと、前記識別子とリアルタイムデータ指定の対応を記述したリアルタイムデータ指定定義に分離したので、リアルタイムに変更されるデータを含むハイパーテキストを容易に作成することができるという効果を奏する。
【０１２２】
この発明に係るハイパーテキスト表示システムは、以上説明したとおり、前記拡張ハイパーテキストを記述することができる拡張ハイパーテキスト記述手段をさらに備えたので、リアルタイムに変更されるデータを含むハイパーテキストを容易に作成することができるという効果を奏する。
【図面の簡単な説明】
【図１】この発明の実施の形態１に係るハイパーテキスト表示システムの構成を示す図である。
【図２】この発明の実施の形態１に係るハイパーテキスト表示システムのリアルタイムデータ管理テーブルの構造を示す図である。
【図３】この発明の実施の形態１に係るハイパーテキスト表示システムのハイパーテキスト生成手段の動作を示すフローチャートである。
【図４】この発明の実施の形態１に係るハイパーテキスト表示システムのハイパーテキスト生成手段のリアルタイムデータ管理手段の動作を示すフローチャートである。
【図５】この発明の実施の形態１に係るハイパーテキスト表示システムのハイパーテキスト生成手段のリアルタイムデータ管理手段の動作を示すフローチャートである。
【図６】この発明の実施の形態１に係るハイパーテキスト表示システムの拡張ハイパーテキストの例を示す図である。
【図７】この発明の実施の形態１に係るハイパーテキスト表示システムのリアルタイムデータ管理テーブルの構造を示す図である。
【図８】この発明の実施の形態１に係るハイパーテキスト表示システムの画面向けハイパーテキストの内容例を示す図である。
【図９】この発明の実施の形態１に係るハイパーテキスト表示システムの代表ハイパーテキストの内容例を示す図である。
【図１０】この発明の実施の形態１に係るハイパーテキスト表示システムのデータ処理向けハイパーテキストの内容例を示す図である。
【図１１】この発明の実施の形態１に係るハイパーテキスト表示システムの拡張ハイパーテキストに対応するハイパーテキスト画面の例を示す図である。
【図１２】この発明の実施の形態１に係るハイパーテキスト表示システムのデータ処理向けハイパーテキストの内容例を示す図である。
【図１３】この発明の実施の形態２に係るハイパーテキスト表示システムの拡張ハイパーテキストの例を示す図である。
【図１４】この発明の実施の形態２に係るハイパーテキスト表示システムのリアルタイムデータ管理テーブルの構造を示す図である。
【図１５】この発明の実施の形態２に係るハイパーテキスト表示システムの拡張ハイパーテキストに対応するハイパーテキスト画面の例を示す図である。
【図１６】この発明の実施の形態３に係るハイパーテキスト表示システムの拡張ハイパーテキストの例を示す図である。
【図１７】この発明の実施の形態３に係るハイパーテキスト表示システムの拡張ハイパーテキストに対応するハイパーテキスト画面の例を示す図である。
【図１８】この発明の実施の形態４に係るハイパーテキスト表示システムの拡張ハイパーテキストの例を示す図である。
【図１９】この発明の実施の形態４に係るハイパーテキスト表示システムの出力するハイパーテキストの内容例を示す図である。
【図２０】この発明の実施の形態４に係るハイパーテキスト表示システムの代表ハイパーテキストの内容例を示す図である。
【図２１】この発明の実施の形態４に係るハイパーテキスト表示システムの画面向けハイパーテキストの内容例を示す図である。
【図２２】この発明の実施の形態４に係るハイパーテキスト表示システムのデータ処理向けハイパーテキストの内容例を示す図である。
【図２３】この発明の実施の形態４に係るハイパーテキスト表示システムのデータ処理向けハイパーテキストの内容例を示す図である。
【図２４】この発明の実施の形態４に係るハイパーテキスト表示システムの拡張ハイパーテキストに対応するハイパーテキスト画面の例を示す図である。
【図２５】この発明の実施の形態５に係るハイパーテキスト表示システムの構成を示す図である。
【図２６】この発明の実施の形態５に係るハイパーテキスト表示システムのテンプレートのハイパーテキストの内容例を示す図である。
【図２７】この発明の実施の形態５に係るハイパーテキスト表示システムのリアルタイムデータ指定定義の内容例を示す図である。
【図２８】この発明の実施の形態６に係るハイパーテキスト表示システムの構成を示す図である。
【図２９】従来のハイパーテキスト表示システムの構成を示す図である。
【図３０】他の従来のハイパーテキスト表示システムの構成を示す図である。
【符号の説明】
１　拡張ハイパーテキスト、２　ハイパーテキスト生成手段、３　リアルタイムデータ管理手段、４　リアルタイムデータ指定特定手段、５　ハイパーテキスト出力手段、６　リアルタイムデータ管理テーブル、７　代表ハイパーテキスト、８　画面向けハイパーテキスト、９　データ処理向けハイパーテキスト、１０ＷＷＷサーバ、１１　リアルタイムデータ供給手段、１２　ブラウザ、１３　ＷＷＷクライアント、２０　テンプレートハイパーテキスト、２１　リアルタイムデータ指定定義、３０　拡張ハイパーテキスト記述手段。
【図１】
2004078844.tif 000003
【図２】
2004078844.tif 000004
【図３】
2004078844.tif 000005
【図４】
2004078844.tif 000006
【図５】
2004078844.tif 000007
【図６】
2004078844.tif 000008
【図７】
2004078844.tif 000009
【図８】
2004078844.tif 000010
【図９】
2004078844.tif 000011
【図１０】
2004078844.tif 000012
【図１１】
2004078844.tif 000013
【図１２】
2004078844.tif 000014
【図１３】
2004078844.tif 000015
【図１４】
2004078844.tif 000016
【図１５】
2004078844.tif 000017
【図１６】
2004078844.tif 000018
【図１７】
2004078844.tif 000019
【図１８】
2004078844.tif 000020
【図１９】
2004078844.tif 000021
【図２０】
2004078844.tif 000022
【図２１】
2004078844.tif 000023
【図２２】
2004078844.tif 000024
【図２３】
2004078844.tif 000025
【図２４】
2004078844.tif 000026
【図２５】
2004078844.tif 000027
【図２６】
2004078844.tif 000028
【図２７】
2004078844.tif 000029
【図２８】
2004078844.tif 000030
【図２９】
2004078844.tif 000031
【図３０】
2004078844.tif 000032